(57)【要約】      （修正有）【課題】アタッチメント部材を摘んだ手の清潔状態を保ちやすくなり、衛生管理が容易になるインスツルメントホルダーを提供する。【解決手段】歯科用のインスツルメントを把持可能なアタッチメント部材５０は、ホルダー部材（縦置きホルダー３１で例示）から着脱する際に摘まれる大径部分（カラー部５１で例示）と、インスツルメントを把持可能に形成された小径部分（収納筒部５６で例示）と、を有した漏斗状に形成される。ホルダー部材は、インスツルメントが突出して配置されるホルダー上面３２と、インスツルメントホースが引き出されるホルダー下面３６と、ホルダー上面とホルダー下面との間を貫通し、アタッチメント部材の小径部分を受容する貫通孔部と、を有する。そして、ホルダー部材は、アタッチメント部材の大径部分をホルダー上面に対して上方に所定距離だけ離して配置させる。【選択図】図５
2020115930.tif 000002
【特許請求の範囲】
【請求項１】
歯科用のインスツルメントを把持可能なアタッチメント部材と、該アタッチメント部材を介して前記インスツルメントを収納するホルダー部材と、を備えたインスツルメントホルダーであって、
前記アタッチメント部材は、該アタッチメント部材を前記ホルダー部材から着脱する際に摘まれる大径部分と、該大径部分に連なり、前記インスツルメントを把持可能に形成された小径部分と、を有した漏斗状に形成され、
前記ホルダー部材は、前記インスツルメントが突出して配置されるホルダー上面と、前記インスツルメントの一端に接続されたインスツルメントホースが引き出されるホルダー下面と、前記ホルダー上面と前記ホルダー下面との間を貫通し、前記アタッチメント部材の小径部分を受容する貫通孔部と、を有しており、
前記ホルダー部材は、前記アタッチメント部材の前記大径部分を前記ホルダー上面に対して上方に所定距離だけ離して配置させることを特徴とするインスツルメントホルダー。
【請求項２】
前記アタッチメント部材が、前記大径部分と前記小径部分の間に配置され、下方に向けて次第に縮径するすり鉢状部を有し、
該すり鉢状部の裏面に、下方に向けて突出して、前記アタッチメント部材の前記大径部分を前記ホルダー上面に対して上方に所定距離だけ離して配置させる脚部が形成されていることを特徴とする請求項１に記載のインスツルメントホルダー。
【請求項３】
前記ホルダー上面は、前記すり鉢状部に対向する位置に凹み部を有し、
該凹み部の表面に、前記脚部を下方から支持する支持部が形成されていることを特徴とする請求項２に記載のインスツルメントホルダー。
【請求項４】
前記アタッチメント部材が、上下方向で開放された正面開口部を有することを特徴とする請求項１から３のいずれか一項に記載のインスツルメントホルダー。
【発明の詳細な説明】
【技術分野】
【０００１】
本発明は、インスツルメントホルダーに関し、詳細には、歯科用のインスツルメントを把持可能なアタッチメント部材と、アタッチメント部材を介してインスツルメントを収納するホルダー部材と、を備えたインスツルメントホルダーに関する。
【背景技術】
【０００２】
歯科治療では、エアータービン、マイクロモーター、マルチシリンジ等の歯科用のインスツルメントが使用される。インスツルメントは例えば棒状に形成され、インスツルメントの一端には、エアー、水、電気等をインスツルメントに供給可能なインスツルメントホースが接続されている。例えば、特許文献１には、インスツルメントやインスツルメントホースを収納するインスツルメントホルダーの構造が開示されている。
【０００３】
詳しくは、特許文献１に記載のインスツルメントホルダーは、ホルダー部材（インスツルメント支持部材）を有する。インスツルメントは、アタッチメント部材（筒状補助部材）を介してホルダー部材に収納される。アタッチメント部材は、大径部分と小径部分を有し、下方が細くなる漏斗状に形成される。アタッチメント部材の小径部分は、インスツルメントを把持可能に構成され、アタッチメント部材の大径部分は、例えばホルダー部材の上面の寸法と略同等の寸法で形成されている。
【０００４】
アタッチメント部材をホルダー部材に取り付ける場合、例えば手の親指（母指、第一指ともいう）と人差し指（示指、第二指ともいう）でアタッチメント部材の大径部分の外周を摘み、アタッチメント部材をホルダー部材の上方に配置する。次いで、小径部分を先頭にしてホルダー部材に降し、大径部分がホルダー部材の上面に接触したら摘んだ指を離す。これにより、アタッチメント部材がホルダー部材に設置される。
【先行技術文献】
【特許文献】
【０００５】
【特許文献１】特開平７−２４０２４号公報
【発明の概要】
【発明が解決しようとする課題】
【０００６】
ところで、特許文献１に記載のインスツルメントホルダーでは、アタッチメント部材は、ホルダー部材に着脱自在であるので、滅菌できるのに対し、ホルダー部材は、インスツルメントホルダーから外さないので、滅菌できないもの（不衛生域ともいう）である。
しかしながら、アタッチメント部材をホルダー部材に配置した場合、アタッチメント部材の大径部分を摘んだ手、詳しくは大径部分を摘んだ母指や示指が、不衛生域であるホルダー部材に接触して汚染することがある。よって、アタッチメント部材を摘んだ手の汚染を防止する構造が望まれる。
【０００７】
本発明は、上述のような実情に鑑みてなされたもので、アタッチメント部材を摘んだ手の清潔状態を保ちやすくなり、衛生管理が容易になるインスツルメントホルダーを提供することを目的とする。
【課題を解決するための手段】
【０００８】
上記課題を解決するために、請求項１の発明は、歯科用のインスツルメントを把持可能なアタッチメント部材と、該アタッチメント部材を介して前記インスツルメントを収納するホルダー部材と、を備えたインスツルメントホルダーであって、前記アタッチメント部材は、該アタッチメント部材を前記ホルダー部材から着脱する際に摘まれる大径部分と、該大径部分に連なり、前記インスツルメントを把持可能に形成された小径部分と、を有した漏斗状に形成され、前記ホルダー部材は、前記インスツルメントが突出して配置されるホルダー上面と、前記インスツルメントの一端に接続されたインスツルメントホースが引き出されるホルダー下面と、前記ホルダー上面と前記ホルダー下面との間を貫通し、前記アタッチメント部材の小径部分を受容する貫通孔部と、を有しており、前記ホルダー部材は、前記アタッチメント部材の前記大径部分を前記ホルダー上面に対して上方に所定距離だけ離して配置させることを特徴としたものである。
【０００９】
請求項２の発明は、請求項１の発明において、前記アタッチメント部材が、前記大径部分と前記小径部分の間に配置され、下方に向けて次第に縮径するすり鉢状部を有し、該すり鉢状部の裏面に、下方に向けて突出して、前記アタッチメント部材の前記大径部分を前記ホルダー上面に対して上方に所定距離だけ離して配置させる脚部が形成されていることを特徴としたものである。
【００１０】
請求項３の発明は、請求項２の発明において、前記ホルダー上面は、前記すり鉢状部に対向する位置に凹み部を有し、該凹み部の表面に、前記脚部を下方から支持する支持部が形成されていることを特徴としたものである。
【００１１】
請求項４の発明は、請求項１から３のいずれか１の発明において、前記アタッチメント部材が、上下方向で開放された正面開口部を有することを特徴としたものである。
【発明の効果】
【００１２】
本発明によれば、アタッチメント部材の大径部分は、ホルダー上面に対して上方に所定距離だけ離して配置されるので、アタッチメント部材をホルダー部材に配置した場合に、この大径部分を摘んだ指がホルダー部材に接触しない。よって、アタッチメント部材を摘んだ手の清潔状態を保ちやすくなり、衛生管理が容易になる。
【図面の簡単な説明】
【００１３】
【図１】本発明の一実施形態のインスツルメントホルダー付きのドクターテーブルを備えた歯科治療ユニットを説明する図である。
【図２】インスツルメントホルダーの外観斜視図である。
【図３】アタッチメント部材を装着したホルダー部材の斜視図である。
【図４】アタッチメント部材とホルダー部材の分解斜視図である。
【図５】アタッチメント部材を装着したホルダー部材の側面図である。
【発明を実施するための形態】
【００１４】
以下、図面を参照しながら本発明のインスツルメントホルダーについて説明する。図１は、本発明の一実施形態のインスツルメントホルダー付きのドクターテーブルを備えた歯科治療ユニットを説明する図である。
歯科治療ユニット１は歯科治療椅子２を有し、歯科治療椅子２の側方には、スピットン３が配置される。スピットン３には、無影灯４や、アシスタント用のホルダー５が設置されている。また、歯科治療ユニット１は、歯科治療椅子２の周辺に、フットスイッチ６や、ドクターテーブル２０を備える。
【００１５】
ドクターテーブル２０は、上部と下部とを一端側で接続した正面視でコ字状に形成され、下部の裏面には例えば４個のコロ２１が設置されている。これにより、ドクターテーブル２０は歯科治療椅子２に対して移動可能である。ドクターテーブル２０の上部にはテーブル面２２が設けられ、種々の器具等が載置される。また、テーブル面２２の裏側には、例えば縦置き式のインスツルメントホルダー３０が設けられている。
【００１６】
図２は、インスツルメントホルダーの外観斜視図であり、図３は、アタッチメント部材を装着したホルダー部材の斜視図である。
図２に示すように、インスツルメントホルダー３０は、図示のＸＹ軸方向にそれぞれ延びた平面視略Ｌ字状に形成され、Ｘ軸方向の一端に回動軸２３を有する。回動軸２３は、テーブル面２２の裏側に回動自在に支持されており、インスツルメントホルダー３０は、例えば図示のＺ軸回り（水平方向）に回動可能である。
【００１７】
インスツルメントホルダー３０には、例えば５個の縦置きホルダー３１が、図示のＹ軸に沿って並設される。なお、縦置きホルダー３１が本発明のホルダー部材に相当する。
図２，３に示すように、縦置きホルダー３１には、アタッチメント部材５０が取り付けられる。インスツルメントＴは、その長手方向を図示のＺ軸方向（上下方向）に向けた姿勢でアタッチメント部材５０に把持され、縦置きホルダー３１に収納される。その際、インスツルメントホースＨは縦置きホルダー３１の下方に引き出される。
【００１８】
図４は、アタッチメント部材とホルダー部材の分解斜視図であり、図５は、アタッチメント部材を装着したホルダー部材の側面図である。
アタッチメント部材５０は縦置きホルダー３１に着脱自在に構成される。具体的には、アタッチメント部材５０は、上方が大径で下方が小径の漏斗状に形成されており、下方に向けて次第に縮径したすり鉢状部５４を有する。
【００１９】
すり鉢状部５４の上端は大径筒部５３に連なり、大径筒部５３の上端にはカラー部５１が形成されている。カラー部５１は、後述するホルダー上面３２の幅（図３のＹ軸方向の長さ）と略同等の幅に形成される。なお、カラー部５１が本発明の大径部分に相当する。また、カラー部５１には、例えばＹ軸方向で対向する位置に突起５２がそれぞれ形成されており、カラー部５１を母指と示指で摘まむ際に例えば目印として機能する。
【００２０】
一方、すり鉢状部５４の下端は、インスツルメントＴを把持可能に形成された収納筒部５６を有する。なお、収納筒部５６が本発明の小径部分に相当する。
図４に示すように、すり鉢状部５４の裏面には、下方に向けて突出する脚部５５が形成されている。脚部５５は対向する位置、例えば、突起５２の下方にそれぞれ設けられている。
【００２１】
また、図４に示すように、アタッチメント部材５０には、カラー部５１から収納筒部５６までを上下方向で開放した正面開口部５７が形成されている。このため、インスツルメントホースＨをアタッチメント部材５０の正面側からアタッチメント部材５０内に容易に配置できる。また、カラー部５１を摘んで側方から加圧した場合、大径筒部５３、すり鉢状部５４が縮径しやすくなるので、縦置きホルダー３１に対する着脱が容易になる。よって、アタッチメント部材５０のメンテナンスが容易になる。
【００２２】
これに対し、縦置きホルダー３１は、図３のＺ軸方向で離間したホルダー上面３２とホルダー下面３６とを有し、ホルダー上面３２とホルダー下面３６とは、Ｚ軸方向に延びたホルダー側面３７で連なっている。
ホルダー上面３２の後方（図３のＸ軸の負方向）には、インスツルメントホルダー３０に回動自在に支持される軸孔３５が形成されている。これにより、縦置きホルダー３１は、図３に示すＹ軸回りに回動可能になる。
【００２３】
図４に示すように、ホルダー上面３２の前方には、アタッチメント部材５０のすり鉢状部５４を受容可能な凹み部３３が形成される。凹み部３３には、アタッチメント部材５０の脚部５５に対応する位置に、支持部３４が形成されている。支持部３４は、例えば有底の穴で形成され、脚部５５を下方から支持する。これにより、縦置きホルダー３１に対するアタッチメント部材５０の位置決めが容易になる。
【００２４】
ホルダー下面３６は、縦置きホルダー３１の前方が後方よりも競り上がった段付き形状に形成される。ホルダー上面３２の凹み部３３とホルダー下面３６の前方とは、図３に示すＺ軸方向で貫通した貫通孔部３８で連通している。貫通孔部３８には、アタッチメント部材５０の収納筒部５６を受容可能である。
縦置きホルダー３１には、凹み部３３から貫通孔部３８までを上下方向で開放した正面開口部３９が形成されている。このため、インスツルメントホースＨを縦置きホルダー３１の正面側から縦置きホルダー３１内に容易に配置できる。
【００２５】
アタッチメント部材５０（滅菌済み）を縦置きホルダー３１（滅菌不可）に取り付ける場合、グローブを装着した手の母指と示指でカラー部５１の突起５２を外側から摘み、アタッチメント部材５０を縦置きホルダー３１の上方に配置する。次いで、摘んだカラー部５１を中央に向けて押圧すると、カラー部５１や、大径筒部５３、すり鉢状部５４が撓んで縮径する。この状態で、収納筒部５６の下端を先頭にして縦置きホルダー３１に降ろす。
【００２６】
収納筒部５６が縦置きホルダー３１の貫通孔部３８に入り、すり鉢状部５４の脚部５５が凹み部３３の支持部３４に接触したら摘んだ指をカラー部５１から離すと、カラー部５１等が拡径し、脚部５５が支持部３４に弾性的に保持される。
これにより、図５に示すように、アタッチメント部材５０の収納筒部５６が縦置きホルダー３１のホルダー上面３２よりも下方に配置されるとともに、アタッチメント部材５０のカラー部５１は、ホルダー上面３２に対して上方に所定距離（例えば大径筒部５３の高さ）だけ離して配置される。なお、ホルダー上面３２に対するカラー部５１の位置は、大径筒部５３の高さや、脚部５５の長さ、支持部３４の深さを調整して設定できる。
【００２７】
続いて、例えばインスツルメントＴを持ち上げて、縦置きホルダー３１の上方に配置し、インスツルメントホースＨを収納筒部５６内に配置する。そして、インスツルメントＴの下端を先頭にして縦置きホルダー３１に降ろし、アタッチメント部材５０に上方から差し込むと、インスツルメントＴは、その途中位置でアタッチメント部材５０に把持され、その先端がホルダー上面３２から突出する。インスツルメントホースＨは縦置きホルダー３１から下方に向けて引き出される。
【００２８】
このように、アタッチメント部材５０のカラー部５１は、ホルダー上面３２に対して上方に所定距離だけ離して配置されるので、カラー部５１は、仮に、ホルダー上面３２の幅と略同等の幅で形成されていたとしても、アタッチメント部材５０を縦置きホルダー３１に配置した場合に、アタッチメント部材５０を摘んだ手が縦置きホルダー３１に接触しない。より具体的には、カラー部５１を摘んで縮径された状態（摘んだ母指から示指までの距離が短くなった状態）で、収納筒部５６を先頭にして縦置きホルダー３１に降ろしても、カラー部５１を摘んだ母指や示指が、ホルダー上面３２やホルダー側面３７に接触しない。よって、アタッチメント部材５０を摘んだ手の清潔状態を保ちやすくなり、衛生管理が容易になる。
【００２９】
また、大径筒部５３や、脚部５５、支持部３４が、カラー部５１とホルダー上面３２との間に、母指や示指を縦置きホルダー３１に接触させない緩衝空間を形成させるので、アタッチメント部材５０を摘んだ手の清潔状態を確実に保つことができる。
【００３０】
なお、上記実施例では、アタッチメント部材５０に脚部５５を設け、縦置きホルダー３１に支持部３４を設けた例を挙げて説明した。しかし、本発明はこの例に限定されない。例えば、縦置きホルダーに上方に向けて突出した脚部を設け、アタッチメント部材に上方に向けて凹んだ支持部を設けてもよい。
また、インスツルメントホルダー３０をドクターテーブル２０に設けた例を挙げて説明したが、本発明はアシスタント用のホルダー５にも適用可能である。
【符号の説明】
【００３１】
１…歯科治療ユニット、２…歯科治療椅子、３…スピットン、４…無影灯、５…アシスタント用のホルダー、６…フットスイッチ、２０…ドクターテーブル、２１…コロ、２２…テーブル面、２３…回動軸、３０…インスツルメントホルダー、３１…縦置きホルダー、３２…ホルダー上面、３３…凹み部、３４…支持部、３５…軸孔、３６…ホルダー下面、３７…ホルダー側面、３８…貫通孔部、３９…正面開口部、５０…アタッチメント部材、５１…カラー部、５２…突起、５３…大径筒部、５４…すり鉢状部、５５…脚部、５６…収納筒部、５７…正面開口部。
【図１】
2020115930.tif 000003
【図２】
2020115930.tif 000004
【図３】
2020115930.tif 000005
【図４】
2020115930.tif 000006
【図５】
2020115930.tif 000007